(57)【要約】【課題】本発明は、バッテリーセル別に電源を充電してバッテリーに電源を急速充電することができる充電装置及びバッテリー装置に関する。【解決手段】本発明は、電源を供給する電源供給器と、互いに並列連結された少なくとも二つのバッテリーセルにそれぞれ一対一で対応する少なくとも二つの充電器を有し上記少なくとも二つの充電器のそれぞれは該当するバッテリーセルに上記電源供給器から伝達された電源を充電させる充電部とを含む充電装置、及び互いに並列連結された少なくとも二つのバッテリーセルを有するバッテリーと、上記少なくとも二つのバッテリーセルにそれぞれ一対一で対応する少なくとも二つの充電器を有し伝達された電源を上記少なくとも二つの充電器に充電させる充電部とを含むバッテリー装置を提供する。【選択図】図２
2014183737.tif 000002
【特許請求の範囲】
【請求項１】
電源を供給する電源供給器と、
互いに並列連結された少なくとも二つのバッテリーセルにそれぞれ一対一で対応する少なくとも二つの充電器を有し、前記少なくとも二つの充電器のそれぞれは該当するバッテリーセルに前記電源供給器から伝達された電源を充電させる充電部と、
を含む、充電装置。
【請求項２】
前記電源供給器は、有線で前記充電部に電源を供給する、請求項１に記載の充電装置。
【請求項３】
前記少なくとも二つの充電器のそれぞれは、互いに独立している複数の電源ソースから電源の伝達を受ける、請求項２に記載の充電装置。
【請求項４】
前記少なくとも二つの充電器のそれぞれは、互いに絶縁される、請求項２又は３に記載の充電装置。
【請求項５】
前記電源供給器は、無線で前記充電部に電源を伝送する、請求項１に記載の充電装置。
【請求項６】
前記電源供給器は、
予め設定された電源を提供する電源コンバーターと、
前記電源コンバーターからの電源を無線伝送する少なくとも一つの送電コイルと、
を含む、請求項５に記載の充電装置。
【請求項７】
前記充電部の少なくとも二つの充電器のそれぞれは、
前記少なくとも一つの送電コイルから無線伝送される電源を受信する受電コイルと、
前記受電コイルから電源の伝達を受けて該当するバッテリーセルに充電される電源の電流値を制御する充電コントローラーと、
を含む、請求項６に記載の充電装置。
【請求項８】
前記電源供給器は、前記充電器の受電コイルに一対一で対応する個数の送電コイルを含む、請求項６又は７に記載の充電装置。
【請求項９】
互いに並列連結された少なくとも二つのバッテリーセルを有するバッテリーと、
前記互いに並列連結された少なくとも二つのバッテリーセルにそれぞれ一対一で対応する少なくとも二つの充電器を有し、前記少なくとも二つの充電器は外部の電源供給器から伝達された電源を前記少なくとも二つのバッテリーセルに充電させる充電部と、
を含む、バッテリー装置。
【請求項１０】
前記充電部は、有線で電源の伝達を受ける、請求項９に記載のバッテリー装置。
【請求項１１】
前記少なくとも二つの充電器のそれぞれは、互いに独立している複数の電源ソースから電源の伝達を受ける、請求項１０に記載のバッテリー装置。
【請求項１２】
前記少なくとも二つの充電器のそれぞれは、互いに絶縁される、請求項１０又は１１に記載のバッテリー装置。
【請求項１３】
前記充電部は、無線で電源を受信する、請求項９に記載のバッテリー装置。
【請求項１４】
前記充電部の少なくとも二つの充電器のそれぞれは、
無線伝送される電源を受信する受電コイルと、
前記受電コイルから電源の伝達を受けて該当するバッテリーセルに充電される電源の電流値を制御する充電コントローラーと、
を含む、請求項１３に記載のバッテリー装置。
【請求項１５】
前記バッテリーは、互いに直列連結されてそれぞれ該当する充電器から電源が充電される複数のバッテリーセルを有する複数のバッテリー群を含み、
前記複数のバッテリー群は、互いに並列連結される、請求項９から１４の何れか１項に記載のバッテリー装置。
【請求項１６】
少なくとも二つのバッテリーセルを有するバッテリーを充電する充電装置であって、
前記少なくとも二つのバッテリーセルにそれぞれ一対一で対応する少なくとも二つの充電器を有し、前記少なくとも二つの充電器のそれぞれは該当するバッテリーセルに外部の電源供給器から伝達された電源を充電させる充電部を含む、充電装置。
【請求項１７】
前記電源供給器は、有線で前記充電部に電源を供給する、請求項１６に記載の充電装置。
【請求項１８】
前記電源供給器は、無線で前記充電部に電源を伝送する、請求項１６に記載の充電装置。
【請求項１９】
前記充電部の少なくとも二つの充電器のそれぞれは、
無線伝送される電源を受信する受電コイルと、
前記受電コイルから電源の伝達を受けて該当するバッテリーセルに充電される電源の電流値を制御する充電コントローラーと、
を含む、請求項１６から１８の何れか１項に記載の充電装置。
【請求項２０】
前記少なくとも二つの充電器のそれぞれは、互いに絶縁される、請求項１６から１９の何れか１項に記載の充電装置。
【発明の詳細な説明】
【技術分野】
【０００１】
本発明は、バッテリーセルに電源を急速充電することができる充電装置及びバッテリー装置に関する。
【背景技術】
【０００２】
電気・電子装置とは、電気をエネルギー源として作動する装置をいう。
【０００３】
電気・電子装置を作動させるためには装置を稼働させるのに必要なエネルギー源である電源の供給が必要であり、上記電源は装置が自ら自己発電して調達しない限り外部から供給されなければならない。
【０００４】
したがって、上記電気・電子装置が外部から電源の供給を受けるためには、外部の電源供給設備から上記電気・電子装置に電源を伝達するための電源供給装置が必要である。
【０００５】
このような電源供給装置としては、通常、コネクター等で電子装置に直接連結されて電子装置に内蔵されたバッテリー（ｂａｔｔｅｒｙ）に電源を供給する有線方式の電源供給装置が主に用いられており、下記の特許文献に記載の発明のように磁気誘導効果又は磁気共振効果により電子装置に内蔵されたバッテリーに電源を供給する非接触方式の電源供給装置もある。
【０００６】
一方、スマートホン、タブレットＰＣ（ｐｅｒｓｏｎａｌ  ｃｏｍｐｕｔｅｒ）、分離型ラップトップＰＣ等のようなモバイル機器の大型画面等へのユーザーのニーズに伴い、電力消耗が激しいことが問題となっており、これにより、モバイル機器のバッテリー容量が次第に増加している。また、このようなバッテリーの大容量化によってバッテリーに電源を充電させる充電時間が長くなるという問題もある。
【先行技術文献】
【特許文献】
【０００７】
【特許文献１】韓国公開特許第２０１３−００５４８９７号公報
【発明の概要】
【発明が解決しようとする課題】
【０００８】
本発明は、上述した問題を解決するためのものであり、バッテリーセル別に電源を充電してバッテリーに電源を急速充電することができる充電装置及びバッテリー装置を提供することを目的とする。
【課題を解決するための手段】
【０００９】
上述した本発明の課題を解決するために、本発明の一つの技術的な側面によれば、電源を供給する電源供給器と、互いに並列連結された少なくとも二つのバッテリーセルにそれぞれ一対一で対応する少なくとも二つの充電器を有し上記少なくとも二つの充電器のそれぞれは該当するバッテリーセルに上記電源供給器から伝達された電源を充電させる充電部と、を含む充電装置が提供される。
【００１０】
本発明の一つの技術的な側面によれば、上記電源供給器は、有線で上記充電部に電源を供給することができる。
【００１１】
本発明の一つの技術的な側面によれば、上記少なくとも二つの充電器のそれぞれは、互いに独立している電源ソースから電源の伝達を受けるか、又は互いに独立している複数の電源ソースから電源の伝達を受けることができる。
【００１２】
本発明の一つの技術的な側面によれば、上記電源供給器は、無線で上記充電部に電源を伝送することができる。
【００１３】
本発明の一つの技術的な側面によれば、上記電源供給器は、予め設定された電源を提供する電源コンバーターと、上記電源コンバーターからの電源を無線伝送する少なくとも一つの送電コイルと、を含むことができる。
【００１４】
本発明の一つの技術的な側面によれば、上記充電部の少なくとも二つの充電器のそれぞれは、上記少なくとも一つの送電コイルから無線伝送される電源を受信する受電コイルと、上記受電コイルから電源の伝達を受けて該当するバッテリーセルに充電される電源の電流値を制御する充電コントローラーと、を含むことができる。
【００１５】
本発明の一つの技術的な側面によれば、上記電源供給器は、上記充電器の受電コイルに一対一で対応する個数の送電コイルを含むことができる。
【００１６】
上述した本発明の課題を解決するために、本発明の他の技術的な側面によれば、互いに並列連結された少なくとも二つのバッテリーセルを有するバッテリーと、上記互いに並列連結された少なくとも二つのバッテリーセルにそれぞれ一対一で対応する少なくとも二つの充電器を有し上記少なくとも二つの充電器は外部の電源供給器から伝達された電源を上記少なくとも二つのバッテリーセルに充電させる充電部と、を含むバッテリー装置が提供される。
【００１７】
本発明の他の技術的な側面によれば、上記バッテリーは、互いに直列連結されてそれぞれ該当する充電器から電源が充電される複数のバッテリーセルを有する複数のバッテリー群を含み、上記複数のバッテリー群は、互いに並列連結されることができる。
【００１８】
上述した本発明の課題を解決するために、本発明のさらに他の技術的な側面によれば、少なくとも二つのバッテリーセルを有するバッテリーを充電する充電装置であって、上記少なくとも二つのバッテリーセルにそれぞれ一対一で対応する少なくとも二つの充電器を有し、上記少なくとも二つの充電器のそれぞれは該当するバッテリーセルに外部の電源供給器から伝達された電源を充電させる充電部を含む充電装置が提供される。
【発明の効果】
【００１９】
本発明によれば、バッテリーセル別に電源を充電してバッテリーに電源を急速充電することができるという効果がある。
【図面の簡単な説明】
【００２０】
【図１ａ】本発明の充電装置の活用例を示す図である。
【図１ｂ】本発明の充電装置の活用例を示す図である。
【図１ｃ】本発明の充電装置の活用例を示す図である。
【図２】本発明の充電装置の第１の実施形態を概略的に示す構成図である。
【図３】本発明の充電装置の第２の実施形態を概略的に示す構成図である。
【図４】本発明の充電装置の第３の実施形態を概略的に示す構成図である。
【図５ａ】本発明のバッテリー装置の活用例を示す図である。
【図５ｂ】本発明のバッテリー装置の活用例を示す図である。
【図５ｃ】本発明のバッテリー装置の活用例を示す図である。
【図５ｄ】本発明のバッテリー装置の活用例を示す図である。
【図６ａ】本発明のバッテリー装置の第１の実施形態を概略的に示す構成図である。
【図６ｂ】本発明のバッテリー装置の第２の実施形態を概略的に示す構成図である。
【図６ｃ】本発明のバッテリー装置の第３の実施形態を概略的に示す構成図である。
【図７ａ】本発明のバッテリー装置の第４の実施形態を概略的に示す構成図である。
【図７ｂ】本発明のバッテリー装置の第５の実施形態を概略的に示す構成図である。
【発明を実施するための形態】
【００２１】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【００２２】
図１ａ〜図１ｃは、本発明の充電装置の活用例を示す図である。
【００２３】
図１ａ〜図１ｃを参照すると、本発明の充電装置Ａは、複数のバッテリーセルを有するバッテリー装置Ｂを備える携帯電話、タブレットＰＣ、ラップトップＰＣ等にバッテリーセル別に有線（図１ａ）、無線（図１ｂ）又は有無線方式（図１ｃ）で電源を急速充電することができる。
【００２４】
図２〜図４は、本発明の充電装置の第１から第３の実施形態を概略的に示す構成図である。
【００２５】
図２を参照すると、本発明の充電装置Ａは、電源供給器１１０と、充電部１２０と、を含むことができる。
【００２６】
電源供給器１１０は有線で充電部１２０に電源を伝達し、充電部１２０は複数の充電器１２１‐１、１２１‐２、１２２‐１、１２２‐２を備え、複数の充電器１２１‐１、１２１‐２、１２２‐１、１２２‐２はそれぞれ該当するバッテリーセルＢＣ１１、ＢＣ１２、ＢＣ２１、ＢＣ２２に電源を充電することができる。
【００２７】
複数の充電器１２１‐１、１２１‐２、１２２‐１、１２２‐２のそれぞれは電源供給器１１０の独立している電源ソースから電源の提供を受け、複数の充電器１２１‐１、１２１‐２、１２２‐１、１２２‐２のそれぞれは互いに絶縁されることができる。
【００２８】
これにより、バッテリーセルの急速充電中にも該当機器の動作のために電源を提供する放電動作が可能となる。
【００２９】
バッテリー１３０はバッテリー装置Ｂに用いられ複数のバッテリーセルＢＣ１１、ＢＣ１２、ＢＣ２１、ＢＣ２２を含み、複数のバッテリーセルＢＣ１１、ＢＣ１２、ＢＣ２１、ＢＣ２２は少なくとも二つのバッテリーセルが互いに並列連結され、図示のようにバッテリー１３０は互いに並列連結された少なくとも二つのバッテリーセル群を備え、上記少なくとも二つのバッテリーセル群はそれぞれ直列連結された複数のバッテリーセルＢＣ１１、ＢＣ１２、ＢＣ２１、ＢＣ２２を含むことができる。ここで、第１‐１のバッテリーセルＢＣ１１と第１‐２のバッテリーセルＢＣ１２は互いに直列連結されて一つのバッテリーセル群を形成し、第２‐１のバッテリーセルＢＣ２１と第２‐２のバッテリーセルＢＣ２２は互いに直列連結されて他のバッテリーセル群を形成し、上記バッテリーセルは互いに並列連結されることができる。バッテリーセル群は少なくとも二つの群であることが図示されているが、複数のバッテリーセルは互いに並列連結されても良く、各バッテリーセル群のバッテリーセルは少なくとも二つのバッテリーセルであることが図示されているが、複数のバッテリーセルは一つのバッテリーセル群において直列連結されても良い。
【００３０】
上述したバッテリーセルＢＣ１１、ＢＣ１２、ＢＣ２１、ＢＣ２２にはそれぞれ充電器１２１‐１、１２１‐２、１２２‐１、１２２‐２が一対一で対応し、充電器１２１‐１、１２１‐２、１２２‐１、１２２‐２のそれぞれは該当するバッテリーセルＢＣ１１、ＢＣ１２、ＢＣ２１、ＢＣ２２に充電される電源の電流値が該当するバッテリーセルの最大許容電流以下となるように制御することができる。
【００３１】
例えば、バッテリーセルの最大許容電流が１Ａの場合、並列連結された複数のバッテリーセルに一つの充電器が電源を充電すると、複数のバッテリーセルの最大許容電流の総和に該当する電流値を有する電源を充電しなければならないため、充電器に発生する可能性がある発熱、回路のサイズ及び高価の素子採用といった問題が発生する。また、これを防止するために一つの充電器において並列連結された複数のバッテリーセルに充電される電源の電流値を低くすると、並列連結された複数のバッテリーセルに電源が充電される時間が長くなるという問題が発生する。
【００３２】
本発明の充電装置は、並列連結された複数のバッテリーセルにそれぞれ一対一で対応する複数の充電器を備え、必要に応じて、該当するバッテリーセルに充電される電源の電流値をバッテリーセルの最大許容電流に維持させ、該当するバッテリーセルに充電される電源が満充電に近づくと、該当するバッテリーセルに充電される電源の電流値が最大許容電流以下に維持されるように制御することができる。
【００３３】
これにより、充電時に充電器に発生する発熱、回路のサイズ及び高価の素子採用の問題を解消し且つバッテリーセルに電源を急速充電させることができる。
【００３４】
図３及び図４を参照すると、本発明の充電装置Ａは、電源供給器２１０、３１０から無線で電源を伝送することができる。このために、電源供給器２１０、３１０は、予め設定された電源を提供する電源コンバーター２１１、３１１と、電源コンバーター２１１、３１１からの電源を無線伝送する送電コイルＰ１、Ｐ１１、Ｐ１２、Ｐ２１、Ｐ２２と、を含むことができる。
【００３５】
図３に示されているように一つの送電コイルＰ１を備えることもでき、電源の伝送効率を高くするために複数の送電コイルＰ１１、Ｐ１２、Ｐ２１、Ｐ２２を備えることもできる。この際、複数の送電コイルＰ１１、Ｐ１２、Ｐ２１、Ｐ２２の個数が受電コイルＳ１１、Ｓ１２、Ｓ２１、Ｓ２２の個数に対応するようにすることができる。
【００３６】
充電部２２０、３２０は複数の充電器２２１‐１、２２１‐２、２２２‐１、２２２‐２、３２１‐１、３２１‐２、３２２‐１、３２２‐２をバッテリー２３０、３３０の複数のバッテリーセルＢＣ１１、ＢＣ１２、ＢＣ２１、ＢＣ２２に一対一で備え、複数の充電器２２１‐１、２２１‐２、２２２‐１、２２２‐２、３２１‐１、３２１‐２、３２２‐１、３２２‐２のそれぞれは該当するバッテリーセルＢＣ１１、ＢＣ１２、ＢＣ２１、ＢＣ２２に電源を充電させるために受電コイルＳ１１、Ｓ１２、Ｓ２１、Ｓ２２と充電コントローラーＬ１１、Ｌ１２、Ｌ２１、Ｌ２２とを含むことができる。
【００３７】
受電コイルＳ１１、Ｓ１２、Ｓ２１、Ｓ２２は、電源供給器２１０、３１０の送電コイルＰ１、Ｐ１１、Ｐ１２、Ｐ２１、Ｐ２２から磁気誘導方式又は磁気共振方式のように無線で電源の伝送を受け、充電コントローラーＬ１１、Ｌ１２、Ｌ２１、Ｌ２２は、受電コイルＳ１１、Ｓ１２、Ｓ２１、Ｓ２２からの電源を該当するバッテリーセルＢＣ１１、ＢＣ１２、ＢＣ２１、ＢＣ２２に充電させ、必要に応じて、該当するバッテリーセルに充電される電源の電流値をバッテリーセルの最大許容電流に維持させ、該当するバッテリーセルに充電される電源が満充電に近づくと、該当するバッテリーセルに充電される電源の電流値が最大許容電流以下に維持されるように制御することができる。
【００３８】
即ち、第１‐１の充電コントローラーＬ１１、第１‐２の充電コントローラーＬ１２、第１‐３の充電コントローラーＬ１３、第２‐１の充電コントローラーＬ２１、第２‐２の充電コントローラーＬ２２及び第２‐３の充電コントローラーＬ２３のそれぞれは、必要に応じて、該当するバッテリーセルＢＣ１１、ＢＣ１２、ＢＣ１３、ＢＣ２１、ＢＣ２２、ＢＣ２３に充電される電源の電流値をバッテリーセルの最大許容電流に維持させ、該当するバッテリーセルに充電される電源が満充電に近づくと、該当するバッテリーセルに充電される電源の電流値が最大許容電流以下に維持されるように制御することができる。
【００３９】
図５ａ〜図５ｄは、本発明のバッテリー装置の活用例を示す図である。
【００４０】
図５ａ、図５ｃ及び図５ｄを参照すると、本発明のバッテリー装置Ｂは、六つのバッテリーセルＢＣ１１〜ＢＣ２３を用い、六つのバッテリーセルＢＣ１１〜ＢＣ２３は三つのバッテリーセルＢＣ１１、ＢＣ１２、ＢＣ１３とＢＣ２１、ＢＣ２２、ＢＣ２３が直列連結されて一つのバッテリーセル群を形成し、二つのバッテリーセル群ＢＣ１１、ＢＣ１２、ＢＣ１３とＢＣ２１、ＢＣ２２、ＢＣ２３は互いに並列連結されるように構成されることができる（本発明のバッテリー装置Ｂは携帯電話、タブレットＰＣ、ラップトップＰＣ等に用いられることができるが、そのそれぞれの詳細な図面は省略する。）。
【００４１】
また、無線で電源の伝送を受ける場合は、六つのバッテリーセルＢＣ１１〜ＢＣ２３にそれぞれ対応する六つの受電コイルＳ１１〜Ｓ２３が備えられ、六つの受電コイルＳ１１〜Ｓ２３は充電装置Ａの送電コイルＰ１から電源の無線伝送を受けることができる。
【００４２】
これに対し、充電装置Ａは、六つの受電コイルＳ１１〜Ｓ２３に対応する六つの送電コイルＰ１１、Ｐ１２、Ｐ１３、Ｐ２１、Ｐ２２、Ｐ２３を含むこともできる。
【００４３】
上述したように、図５ａ〜図５ｄを参照すると、一般にラップトップＰＣに用いられるバッテリーパックは、六つのバッテリーセルを用い、六つのバッテリーセルは三つのバッテリーセルが直列連結されて一つのバッテリーセル群を形成し、二つのバッテリーセル群は互いに並列連結されるように構成されるため、本発明のバッテリー装置Ｂも、一例として、六つのバッテリーセルが二つのバッテリーセル群で構成されることを示している。しかしながら、本発明のバッテリー装置Ｂは、少なくとも二つのバッテリーセルが互いに並列連結されることもでき、複数のバッテリーセル群が互いに並列連結されることもでき、複数のバッテリーセル群のそれぞれは直列連結された複数のバッテリーセルを含むこともできる。
【００４４】
図６ａ〜図６ｃは、本発明のバッテリー装置の第１から第３の実施形態を概略的に示す構成図である。
【００４５】
図６ａ〜図６ｃを参照すると、本発明の第１から第３の実施形態によるバッテリー装置Ｂはそれぞれ互いに並列連結された二つのバッテリーセルＢＣ１１、ＢＣ２１を含み、有線、無線又は有無線で互いに並列連結された二つのバッテリーセルＢＣ１１、ＢＣ２１に電源をそれぞれ充電することができる。
【００４６】
より詳細には、図６ｃを参照すると、互いに並列連結された二つのバッテリーセルＢＣ１１、ＢＣ２１のうち、一つのバッテリーセルには有線で電源を充電し、他のバッテリーセルには無線で電源を充電することができる。
【００４７】
また、図示されてはいないが、互いに並列連結された二つのバッテリーセルＢＣ１１、ＢＣ２１のうち一つのバッテリーセルに有線及び無線で電源を伝送することにより、より速い急速充電が可能となる。
【００４８】
図７ａ及び図７ｂは、本発明の第４及び第５の実施形態によるバッテリー装置を概略的に示す構成図である。
【００４９】
図７ａを参照すると、本発明の第４の実施形態によるバッテリー装置Ｂにおいて、充電部５２０は複数の充電器５２１‐１、５２１‐２、５２１‐３、５２２‐１、５２２‐２、５２２‐３を含み、複数の充電器５２１‐１、５２１‐２、５２１‐３、５２２‐１、５２２‐２、５２２‐３は外部から有線で電源の提供を受けることができる。複数の充電器５２１‐１、５２１‐２、５２１‐３、５２２‐１、５２２‐２、５２２‐３はバッテリー５３０の複数のバッテリーセルＢＣ１１、ＢＣ１２、ＢＣ１３、ＢＣ２１、ＢＣ２２、ＢＣ２３のそれぞれに一対一で対応し、複数の充電器５２１‐１、５２１‐２、５２１‐３、５２２‐１、５２２‐２、５２２‐３のそれぞれは該当するバッテリーセルＢＣ１１、ＢＣ１２、ＢＣ１３、ＢＣ２１、ＢＣ２２、ＢＣ２３に電源を充電させることができる。
【００５０】
複数の充電器５２１‐１、５２１‐２、５２１‐３、５２２‐１、５２２‐２、５２２‐３のそれぞれは、充電コントローラーＬ１１、Ｌ１２、Ｌ１３、Ｌ２１、Ｌ２２、Ｌ２３を含み、第１‐１の充電コントローラーＬ１１、第１‐２の充電コントローラーＬ１２、第１‐３の充電コントローラーＬ１３、第２‐１の充電コントローラーＬ２１、第２‐２の充電コントローラーＬ２２及び第２‐３の充電コントローラーＬ２３のそれぞれは、必要に応じて、該当するバッテリーセルＢＣ１１、ＢＣ１２、ＢＣ１３、ＢＣ２１、ＢＣ２２、ＢＣ２３に充電される電源の電流値をバッテリーセルの最大許容電流に維持させ、該当するバッテリーセルに充電される電源が満充電に近づくと、該当するバッテリーセルに充電される電源の電流値が最大許容電流以下に維持されるように制御することができる。
【００５１】
図７ｂを参照すると、本発明の第５の実施形態によるバッテリー装置Ｂにおいて、充電部６２０は複数の充電器６２１‐１、６２１‐２、６２１‐３、６２２‐１、６２２‐２、６２２‐３を含み、複数の充電器６２１‐１、６２１‐２、６２１‐３、６２２‐１、６２２‐２、６２２‐３は外部から無線で電源の伝送を受けることができる。複数の充電器６２１‐１、６２１‐２、６２１‐３、６２２‐１、６２２‐２、６２２‐３はバッテリー６３０の複数のバッテリーセルＢＣ１１、ＢＣ１２、ＢＣ１３、ＢＣ２１、ＢＣ２２、ＢＣ２３のそれぞれに一対一で対応し、複数の充電器６２１‐１、６２１‐２、６２１‐３、６２２‐１、６２２‐２、６２２‐３のそれぞれは該当するバッテリーセルＢＣ１１、ＢＣ１２、ＢＣ１３、ＢＣ２１、ＢＣ２２、ＢＣ２３に電源を充電させることができる。
【００５２】
複数の充電器６２１‐１、６２１‐２、６２１‐３、６２２‐１、６２２‐２、６２２‐３のそれぞれは、外部から無線で電源の伝送を受ける受電コイルＳ１１、Ｓ１２、Ｓ１３、Ｓ２１、Ｓ２２、Ｓ２３と、受電コイルＳ１１、Ｓ１２、Ｓ１３、Ｓ２１、Ｓ２２、Ｓ２３から伝達された電源を該当するバッテリーセルＢＣ１１、ＢＣ１２、ＢＣ１３、ＢＣ２１、ＢＣ２２、ＢＣ２３に充電させ、充電時に電流値を制御する充電コントローラーＬ１１、Ｌ１２、Ｌ１３、Ｌ２１、Ｌ２２、Ｌ２３と、を含み、第１‐１の充電コントローラーＬ１１、第１‐２の充電コントローラーＬ１２、第１‐３の充電コントローラーＬ１３、第２‐１の充電コントローラーＬ２１、第２‐２の充電コントローラーＬ２２及び第２‐３の充電コントローラーＬ２３のそれぞれは、必要に応じて、該当するバッテリーセルＢＣ１１、ＢＣ１２、ＢＣ１３、ＢＣ２１、ＢＣ２２、ＢＣ２３に充電される電源の電流値をバッテリーセルの最大許容電流に維持させ、該当するバッテリーセルに充電される電源が満充電に近づくと、該当するバッテリーセルに充電される電源の電流値が最大許容電流以下に維持されるように制御することができる。
【００５３】
上述したように、本発明によれば、バッテリーセル別に電源を充電することにより、充電器に発生する発熱、回路のサイズ及び高価の素子採用の問題を解消し且つバッテリーに最大電流で電源を急速充電することができる。
【００５４】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有する者には明らかである。
【符号の説明】
【００５５】
１１０、２１０、３１０  電源供給器
１２０、２２０、３２０、５２０、６２０  充電部
１３０、２３０、３３０、４３０、５３０、６３０  バッテリー
【図１ａ】
2014183737.tif 000003
【図１ｂ】
2014183737.tif 000004
【図１ｃ】
2014183737.tif 000005
【図２】
2014183737.tif 000006
【図３】
2014183737.tif 000007
【図４】
2014183737.tif 000008
【図５ａ】
2014183737.tif 000009
【図５ｂ】
2014183737.tif 000010
【図５ｃ】
2014183737.tif 000011
【図５ｄ】
2014183737.tif 000012
【図６ａ】
2014183737.tif 000013
【図６ｂ】
2014183737.tif 000014
【図６ｃ】
2014183737.tif 000015
【図７ａ】
2014183737.tif 000016
【図７ｂ】
2014183737.tif 000017